(57)【特許請求の範囲】
【請求項１】
ビル躯体に形成したシャフト部分の天井スラブを施工する前に、当該シャフト内の最上部に、前後へ移動するガーダと、該ガーダに沿って横行するホイストとを備えた天井クレーンを設け、支柱、梁、及び車両載置用のパレットを支持する棚材を、シャフト内底部から天井クレーンにより吊り上げて、パレットが出し入れ可能な保管区画が上下に並んだ構体をシャフト内に組み立てた後、シャフト内底部に搬入したパレットを天井クレーンにより吊り上げて保管区画のそれぞれに配置する立体駐車設備の構築方法。
【発明の詳細な説明】
【０００１】
【発明の属する技術分野】
本発明は立体駐車設備の構築方法に関するものである。
【０００２】
【従来の技術】
図３及び図４はエレベータ方式の立体駐車設備の一例を示すもので、この立体駐車設備は、ビル躯体１に形成したシャフト２内に組み込まれ且つそれぞれ車両３が載置される複数のパレット４を収納する構体５と、巻上装置（図示せず）により構体５内を昇降するケージ６とを備えている。
【０００３】
構体５は、垂直に立設した複数の支柱７と、水平に延び且つ隣接する支柱７を相互に連結する梁８と、斜めに延び且つ支柱７及び梁８の連結部分に対してその上方に位置している他の梁８の中間部分を連結する斜材９と、車両３を載置したパレット４の幅方向への移動を許容し得る上下関係を保つように支柱７に水平に締結した棚材１０とで構成され、構体５内の両側部分に、それぞれパレット４が収納される複数の保管区画１１を上下方向に縦列に形成し、構体５内の中央部分に、ケージ６が上下へ移動するための昇降空間１２を形成している。
【０００４】
ケージ６には、当該ケージ６側方の保管区画１１に収納されているパレット４をケージ６内に引き込み、また、ケージ６内のパレット４を当該ケージ６側方の保管区画１１へ押し出す移載機構（図示せず）が設けられており、保管区画１１とケージ６の間におけるパレット４の授受、及びケージ６の昇降の各動作の組み合わせによって、入庫すべき車両３が載置されているパレット４を、ビル躯体１の入出庫口１３より保管区画１１へ搬送し、出庫すべき車両３が載置されているパレット４を、保管区画１１から入出庫口１３へ搬送するようになっている。
【０００５】
従来、このような立体駐車設備を構築する際には、図５に示すようにビル躯体１の外方にドラム１４を仮設し、当該ドラム１４から繰り出したワイヤ１５を、シャフト２内の下部に枢支したシーブ１６、及びシャフト２の天井スラブ２０下面に枢支したシーブ１７，１８に巻き掛けたうえ垂下させ、ドラム１４に対するワイヤ１５の繰り出し、巻き取りによりフックブロック１９を昇降させて、設備構成部材の揚重作業を行なっている。
【０００６】
【発明が解決しようとする課題】
しかしながら、実際には、十分な吊り上げ荷重が得られるようにするために、多数のシーブを用いて、天井スラブ２０下面とフックブロック１９との間でワイヤ１５を複数条にしているが、構体５の全高が高い場合には、ワイヤ１５が長くなり且つドラム１４の直径も大きくなってしまい、ドラム１４の設置や撤収などに時間を要する。
【０００７】
更に、揚重対象物の吊り位置が、ワイヤ１５が垂下するシーブ１８の枢支位置になるため、構体５を完全に組み上げるまでには、シーブ１８の枢支位置を何度も変えなければならず、揚重作業を効率よく行なうことができない。
【０００８】
本発明は上述した実情に鑑みてなしたもので、立体駐車設備の構築に当たって揚重作業を効率よく行なえるようにすることを目的としている。
【０００９】
【課題を解決するための手段】
上記目的を達成するため、本発明の立体駐車設備の構築方法では、ビル躯体に形成したシャフト部分の天井スラブを施工する前に、当該シャフト内の最上部に、前後へ移動するガーダと、該ガーダに沿って横行するホイストとを備えた天井クレーンを設け、支柱、梁、及び車両載置用のパレットを支持する棚材を、シャフト内底部から天井クレーンにより吊り上げて、パレットが出し入れ可能な保管区画が上下に並んだ構体をシャフト内に組み立てた後、シャフト内底部に搬入したパレットを天井クレーンにより吊り上げて保管区画のそれぞれに配置することを特徴とする。
【００１１】
本発明の立体駐車設備の構築方法においては、シャフトに対するガーダの前後移動、及びガーダに対するホイストの横行の各動作の組み合わせによって、ホイストによる揚重対象物の吊り位置を自由に設定する。
【００１２】
また、天井クレーンを、ビル躯体のシャフト部分の天井スラブを施工する前に設置して、クレーンの設置作業を容易とする。
【００１３】
【発明の実施の形態】
以下、本発明の実施の形態を、図示例とともに説明する。
【００１４】
図１及び図２は本発明の立体駐車設備の構築方法の実施の形態の一例であり、図中、図４と同一の符号を付したものは、同一物を表している。
【００１５】
この構築方法では、ビル躯体１に形成したシャフト２部分の天井スラブ２０を施工する前に、当該シャフト２内の最上部に天井クレーン２１を架設する。
【００１６】
天井クレーン２１は、シャフト２の天井スラブ２０相当部分の直下に位置するようにシャフト２の左右壁面に支持され且つシャフト２の前後方向へ略水平に延びるランウエイ２２と、該ランウエイ２２に沿って移動可能なガーダ２３と、該ガーダ２３に沿ってシャフト２の幅方向へ横行し得るホイスト２４とを備えており、該ホイスト２４は、ドラム（図示せず）の回転方向に応じてワイヤ２５を繰り出し、あるいは巻き取り、フック２６を昇降させるように構成されている。
【００１７】
立体駐車設備の構築作業を行なう際には、ランウエイ２２に沿ってガーダ２３を移動させ、あるいは、ガーダ２３に沿ってホイスト２４を横行させることにより、揚重対象物の吊り位置を設定したうえ、フック２６を昇降させて、支柱７、梁８、斜材９、及び車両載置用のパレット４を支持する棚材１０などの構成部材を、シャフト２内底部から吊り上げ、また、必要に応じて、ガーダ２３やホイスト２４を適宜移動させて、前記の構成部材を所定位置に組み付け、これにより、車両載置用のパレット４が出し入れ可能な保管区画１１が上下に並んだ構体５をシャフト２内に構築する。
【００１８】
更に、天井クレーン２１を用いて、シャフト２内底部に搬入したパレット４を吊り上げ、各保管区画１１のそれぞれに配置する。
【００１９】
このように上述した立体駐車設備の構築方法においては、シャフト２部分の天井スラブ２０を施工する前に、天井クレーン２１をシャフト２部分の最上部に設置するので、構成部材の揚重作業に用いる天井クレーン２１の設置作業を容易に行なうことができる。
【００２０】
また、ガーダ２３の前後移動、及びガーダ２３に対するホイスト２４の横行の各動作の組み合わせによって、揚重対象物の吊り位置を自由に設定できるので、構体５の構築作業を効率よく行なうことができる。
【００２１】
なお、本発明の立体駐車設備の構築方法は上述した実施の形態のみに限定されるものではなく、本発明の要旨を逸脱しない範囲内において種々変更を加え得ることは勿論である。
【００２２】
【発明の効果】
以上述べたように、本発明の立体駐車設備の構築方法によれば、下記のような種々の優れた効果を奏し得る。
【００２３】
（１）本発明の立体駐車設備の構築方法においては、シャフトに対するガーダの前後移動、及びガーダに対するホイストの横行の各動作の組み合わせによって、ホイストによる揚重対象物の吊り位置を自由に設定することができるので、構体の構築作業やパレットの設置作業を効率よく行なえる。
【００２４】
（２）また、天井クレーンを、ビル躯体のシャフト部分の天井スラブを施工する前に設置するので、クレーンの設置作業を容易に行なえる。
【図面の簡単な説明】
【図１】本発明の立体駐車設備の構築方法の実施の形態の一例を示す概念図である。
【図２】図１に関連する天井クレーンの側面図である。
【図３】ビル躯体に形成した立体駐車設備の一例を示す斜視図である。
【図４】図３に関連する立体駐車設備の正面縦断面図である。
【図５】従来の立体駐車設備の構築方法の一例を示す概念図である。
【符号の説明】
１          ビル躯体
２          シャフト
４          パレット
５          構体
７          支柱
８          梁
１０          棚材
１１          保管区画
２０          天井スラブ
２１          天井クレーン
２３          ガーダ
２４          ホイスト
【図１】
0004383691.tif 000002
【図２】
0004383691.tif 000003
【図３】
0004383691.tif 000004
【図４】
0004383691.tif 000005
【図５】
0004383691.tif 000006